(57)【特許請求の範囲】
【請求項１】
図柄を変動表示させて遊技演出を行なう図柄表示装置が臨む開口部を開設した装飾部材に配設され、前記図柄表示装置の遊技演出に合わせて演出部材に所定の演出動作を行なわせる遊技機用の可動式演出装置であって、
前記装飾部材に配設され、互いに独立して正逆駆動可能な第１および第２駆動手段と、
前記装飾部材に動作可能に配設され、一端部が第１駆動手段に連繋すると共に他端部が前記演出部材の長手方向の一側部側に連繋して、該第１駆動手段の駆動により前記演出部材に所定の動作を行なわせる第１リンク機構と、
前記装飾部材に動作可能に配設され、一端部が第２駆動手段に連繋すると共に他端部が前記演出部材の長手方向の他側部側に連繋して、該第２駆動手段の駆動により前記演出部材に所定の演出動作を行なわせる第２リンク機構とを備え、
前記演出部材には、該演出部材の長手方向に沿って延在するガイド部が形成され、
前記第１リンク機構の他端部は、前記演出部材に回動可能に連結されて、該演出部材との連結位置を保ったまま演出部材の一側部側を動作させるよう構成され、
前記第２リンク機構の他端部は、前記ガイド部に沿って移動可能で、かつ回動可能に連結されて、演出部材の他側部側を動作させるよう構成した
ことを特徴とする遊技機用の可動式演出装置。
【請求項２】
前記第１駆動手段および第１リンク機構と、前記第２駆動手段および第２リンク機構とは、前記演出部材を挟んで線対称の関係で配置され、
前記各リンク機構は、対応の駆動手段に連繋する一端部をなすクランク部と、前記装飾部材に支軸部を介して揺動自在に軸支されて他端部をなすアーム部とからなり、
前記各クランク部は、対応の駆動手段により回転されるクランク歯車と、該クランク歯車に接続したロッドとから構成され、
前記各アーム部は、対応の前記ロッドに接続された接続節と、前記演出部材に連結された連結節とが前記装飾部材との支軸部で接続され、該ロッドにより接続節が揺動されて連結節が変位することで前記演出部材を動作させ、
前記連結節は、前記接続節より長尺に形成されている請求項１記載の遊技機用の可動式演出装置。
【請求項３】
前記両アーム部は、前記装飾部材に前記開口部を挟むよう軸支されると共に、前記接続節および連結節が前記支軸部で屈曲するよう形成され、該アーム部が揺動することで、前記演出部材は、前記図柄表示装置の前側から退避した待機位置から該図柄表示装置の前側に臨んだ位置まで移動して演出動作するよう構成され、各連結節は、演出部材が待機位置に位置した状態において該開口部を避けるよう円弧状に延在している請求項２記載の遊技機用の可動式演出装置。
【請求項４】
前記第１リンク機構のアーム部には、第１中空部が形成され、前記演出部材に設けた電気部品に接続する電気配線が該第１中空部に挿通されている請求項２または３記載の遊技機用の可動式演出装置。
【発明の詳細な説明】
【技術分野】
【０００１】
この発明は、図柄を変動表示させて遊技演出を行なう図柄表示装置が臨む装飾部材に配設され、この図柄表示装置の遊技演出に合わせて演出部材に所定の演出動作を行なわせる遊技機用の可動式演出装置に関するものである。
【背景技術】
【０００２】
代表的な遊技機であるパチンコ機は、機内にセットされる遊技盤の盤面に画成した遊技領域の略中央位置に装飾部材(センター役物とも称される)が配設されて、該装飾部材に開設した開口部に、各種図柄を変動および停止表示させて所要の図柄変動ゲームを行なう図柄表示装置を臨ませるよう構成される。そして、遊技盤の盤面(遊技領域)に打出された遊技球が、装飾部材の下方位置に配設した始動入賞装置に入賞することにより、図柄表示装置での図柄変動ゲームが行なわれるようになっている。また、多くのパチンコ機では、装飾部材に、所要の動作を行なう可動体を備えた可動式の演出装置が配設されており、可動体を図柄表示装置での図柄変動ゲームに合わせて動作させることにより演出効果の向上を図っている。
【０００３】
例えば可動式演出装置としては、液晶表示装置における表示面の前側に、複数の可動体を交差した状態で配設し、各可動体を動力伝達機構を介してアクチュエータにより夫々駆動する構成のものがある(特許文献１参照)。この可動式演出装置は、液晶表示装置での表示演出に合わせて、複数の可動体を液晶表示装置の前側を横切る方向に進退移動させることで、遊技の興趣の向上を図っている。
【特許文献１】特開２００４−４９６０４号公報
【発明の開示】
【発明が解決しようとする課題】
【０００４】
しかし、特許文献１の可動式演出装置では、１つのアクチュエータに連繋した動力伝達機構を介して１つの可動体が、直線的な進退動作をしているに過ぎない。すなわち、１つのアクチュエータでは、動力伝達機構により動作の方向や速度等を多少変更し得るものの、その動作は、回転運動や直線運動等だけの単純なものであるから、１つの可動体では充分な演出効果が得られない難点がある。すなわち、演出効果を高めるためには、可動式演出装置に複数の可動体を設ける必要があり、部品が増加すると共に組付け工数が増える欠点がある。
【０００５】
すなわち本発明は、前述した従来の技術に内在している前記課題に鑑み、これを好適に解決するべく提案されたものであって、単独の演出部材を多彩な動作をさせることで遊技の興趣を増大させ得る遊技機用の可動式演出装置を提供することを目的とする。
【課題を解決するための手段】
【０００６】
前記課題を克服し、所期の目的を達成するため、本願の請求項１に係る発明の遊技機用の可動式演出装置は、
図柄を変動表示させて遊技演出を行なう図柄表示装置(S)が臨む開口部(72a)を開設した装飾部材(B)に配設され、前記図柄表示装置(S)の遊技演出に合わせて演出部材(12)に所定の演出動作を行なわせる遊技機用の可動式演出装置であって、
前記装飾部材(B)に配設され、互いに独立して正逆駆動可能な第１および第２駆動手段(20,30)と、
前記装飾部材(B)に動作可能に配設され、一端部(42)が第１駆動手段(20)に連繋すると共に他端部(45)が前記演出部材(12)の長手方向の一側部側に連繋して、該第１駆動手段(20)の駆動により前記演出部材(12)に所定の動作を行なわせる第１リンク機構(40)と、
前記装飾部材(B)に動作可能に配設され、一端部(52)が第２駆動手段(30)に連繋すると共に他端部(55)が前記演出部材(12)の長手方向の他側部側に連繋して、該第２駆動手段(30)の駆動により前記演出部材(12)に所定の演出動作を行なわせる第２リンク機構(50)とを備え、
前記演出部材(12)には、該演出部材(12)の長手方向に沿って延在するガイド部(18)が形成され、
前記第１リンク機構(40)の他端部(45)は、前記演出部材(12)に回動可能に連結されて、該演出部材(12)との連結位置を保ったまま演出部材(12)の一側部側を動作させるよう構成され、
前記第２リンク機構(50)の他端部(55)は、前記ガイド部(18)に沿って移動可能で、かつ回動可能に連結されて、演出部材(12)の他側部側を動作させるよう構成したことを特徴とする。
請求項１に係る発明によれば、一つの演出部材を、独立した複数の駆動手段に夫々連繋したリンク機構で動作させるよう構成したから、大型の演出部材に複雑な動作を与えることができる。また、駆動手段およびこの駆動手段に対応するリンク機構とからなる動作組を互いに共通化することで、部品点数を減らすことができると共に、組立作業性も向上することができる。更に、演出部材について、第１リンク機構における他端部の所定動作による動作だけでなく、当該第１リンク機構における他端部の動作に伴って第２リンク機構の他端部と演出部材との連結位置がガイド部に沿ってスライド移動して、第２リンク機構における他端部の動作方向と連結位置の移動方向との複合的な方向に動くから、演出部材に更に複雑な動作を行なわせることができる。しかも、演出部材の長手方向に沿って延在させたガイド部を設けることで、ガイド部の延在寸法を長く設定することができ、演出部材を大きく演出動作させることができる。
【０００７】
請求項２に係る発明は、請求項１記載の遊技機用の可動式演出装置において、
前記第１駆動手段(20)および第１リンク機構(40)と、前記第２駆動手段(30)および第２リンク機構(50)とは、前記演出部材(12)を挟んで線対称の関係で配置され、
前記各リンク機構(40,50)は、対応の駆動手段(20,30)に連繋する一端部をなすクランク部(42,52)と、前記装飾部材(B)に支軸部を介して揺動自在に軸支されて他端部をなすアーム部(45,55)とからなり、
前記各クランク部(42,52)は、対応の駆動手段(20,30)により回転されるクランク歯車(43,53)と、該クランク歯車(43,53)に接続したロッド(44,54)とから構成され、
前記各アーム部(45,55)は、対応の前記ロッド(44,54)に接続された接続節(46,56)と、前記演出部材(12)に連結された連結節(47,57)とが前記装飾部材(B)との支軸部で接続され、該ロッド(44,54)により接続節(46,56)が揺動されて連結節(47,57)が変位することで前記演出部材(12)を動作させ、
前記連結節(47,57)は、前記接続節(46,56)より長尺に形成されている。
請求項２に係る発明によれば、駆動手段およびこの駆動手段に対応するリンク機構とからなる動作組を、演出部材を挟んで線対称に配置することで、当該動作組の組立作業性の向上や部品の共通化を図り得る。また、クランク部により、クランク歯車の回転運動をロッドの往復移動に変換することができる。
【０００８】
請求項３に係る発明は、請求項２記載の遊技機用の可動式演出装置において、
前記両アーム部(45,55)は、前記装飾部材(B)に前記開口部(72a)を挟むよう軸支されると共に、前記接続節(46,56)および連結節(47,57)が前記支軸部で屈曲するよう形成され、該アーム部(45,55)が揺動することで、前記演出部材(12)は、前記図柄表示装置(S)の前側から退避した待機位置から該図柄表示装置(S)の前側に臨んだ位置まで移動して演出動作するよう構成され、各連結節(47,57)は、演出部材(12)が待機位置に位置した状態において該開口部(72a)を避けるよう円弧状に延在している。
請求項３に係る発明によれば、演出部材を待機位置から移動させて図柄表示装置の前側で演出動作させることができる。
【０００９】
請求項４に係る発明は、請求項２または３記載の遊技機用の可動式演出装置において、
前記第１リンク機構(40)のアーム部(45)には、第１中空部(45a)が形成され、前記演出部材(12)に設けた電気部品(14)に接続する電気配線(16)が該第１中空部(45a)に挿通されている。
請求項４の発明によれば、演出部材が動作しても、当該演出部材の電気部品と接続する電気配線が、リンク機構や演出部材に噛み込む等の不具合を起こすことはなく、演出部材による演出動作を円滑に行なうことができる。
【発明の効果】
【００１１】
本発明に係る遊技機用の可動式演出装置によれば、一つの演出部材を、独立した複数の駆動手段に夫々連繋したリンク機構で複合的に動作させるよう構成したから、演出部材に複雑な動作を付与し得るので、最小限の部品点数で視覚的な演出効果を向上させて遊技の興趣を一層増大することができる。
【発明を実施するための最良の形態】
【００１２】
次に、本発明に係る遊技機用の可動式演出装置につき、好適な実施例を挙げて、添付図面を参照して以下に説明する。なお、実施例では、可動式演出装置を一般的なパチンコ機(遊技機)に配設した場合で説明する。
【実施例】
【００１３】
図１に示すように、実施例に係るパチンコ機の遊技盤Ａは、略円形状に湾曲形成したレールにより遊技領域Ａ１が画成され、その略中央位置に図柄表示装置Ｓを後方から臨ませた装飾部材Ｂが配設されている。遊技盤Ａにおける装飾部材Ｂの下方には、遊技球検出用のスイッチ(図示せず)を備えた始動入賞具Ｃが設けられている。この始動入賞具Ｃに遊技球が入賞することで、図柄表示装置Ｓにおいて図柄変動ゲームが開始されて、その結果、特定の図柄組合わせ(例えば、同一図柄の三つ揃)が表示されると、遊技者に有利な特別遊技(所謂大当り)が発生するようになっている。また、始動入賞具Ｃの下方位置には、特別入賞口に設けられた扉状の開閉板Ｄ１が、後側の電磁ソレノイド(図示せず)の駆動に伴って通常の閉鎖状態から開放状態に変化し得るよう構成された大型電動式の特別入賞装置Ｄが配設されており、特別遊技の発生により開閉板Ｄ１を開放して遊技球が特別入賞口に入賞することで、球皿(図示せず)に賞球が払出されるようになっている。
【００１４】
前記装飾部材Ｂは、遊技領域の大部分を占める大型部材であって(図１参照)、図柄表示装置Ｓを臨ませる開口部７２ａを開設した枠状本体７０を、遊技盤Ａに開設した装着孔(図示せず)に前側から挿入した状態で、遊技盤Ａに対してネジ止め固定される。図２に示す如く、枠状本体７０は、遊技盤Ａへの取付け側となる基部７２から前側へ向けて壁部が突設した左右方向に長尺な箱状体であって、基部７２の略中央に開設した開口部７２ａの周りに可動式演出装置１０やその他の演出装置、装飾具７４および発光装置７６等の各種部材が配設されている。ここで、実施例の装飾部材Ｂには、図柄表示装置Ｓの上方に臨む位置に、所定のキャラクタを模した演出部材１２を備えた可動式演出装置１０が配設されている。この可動式演出装置１０では、図柄表示装置Ｓの図柄組合わせゲームに合わせて、演出部材１２に所定の演出動作を行なわせて、多彩な演出を行なうと共に、装飾具７４や発光装置７６等の他の演出用部材と合わせて、装飾部材Ｂ全体として相乗的な演出効果を発現するよう構成される。なお、可動式演出装置１０は、遊技盤Ａの正面視を基準として、前後、上下および左右方向を指称するものとする。
【００１５】
前記可動式演出装置１０は、演出部材１２と、互いに独立して正逆駆動可能な複数の駆動手段２０,３０と、一端部となるクランク部４２,５２が各駆動手段２０,３０に対応的に連繋されると共に、他端部となるアーム部４５,５５の先端が演出部材１２に連繋される複数のリンク機構４０,５０とを備えている(図２または図３参照)。実施例の可動式演出装置１０では、一つの駆動手段２０,３０とこれに対応する一つのリンク機構４０,５０とからなる動作組Ｋ１,Ｋ２を２組備え、これら２組の動作組Ｋ１,Ｋ２により一つの演出部材１２が動作されるようになっている。すなわち可動式演出装置１０では、各駆動手段２０,３０を図示しない制御手段の制御下に夫々駆動することに応じて対応的に作動する各リンク機構４０,５０の動作により、演出部材１２を図柄表示装置Ｓの前側に臨ませて所定の演出動作を行なわせると共に、図柄表示装置Ｓの前側から退避して待機するよう構成される。ここで、２組の動作組Ｋ１,Ｋ２は、演出部材１２を間にして、枠状本体７０の左側に第１動作組Ｋ１が配置され、枠状本体７０の右側に第２動作組Ｋ２が配置される(図２参照)。なお、両動作組Ｋ１,Ｋ２の構成部材を区別するときは、第１動作組Ｋ１の構成部材には第１を付し、第２動作組Ｋ２の構成部材には第２を付す。
【００１６】
前記演出部材１２は、正面視において一辺が他辺に比して長尺に形成された部材であって、一対のリンク機構４０,５０のアーム部４５,５５の先端で支持された状態で装飾部材Ｂの前側に配置されて、図柄表示装置Ｓの上方に退避した後述の待機姿勢(図２参照)において、その長辺が左右方向に沿って水平に延在するようになっている。また演出部材１２は、正面視における平面形状が比較的大寸に設定された大型の部材であって、実施例では長辺の寸法が装飾部材Ｂにおける左右幅の半分程度を占めて、他の演出用部材と比較して遊技者の注意を喚起するように図られている。より具体的には、枠状本体７０の開口部７２ａは、左右寸法が約２１５ｍｍで、上下寸法が約１６０ｍｍに設定され、この開口部７２ａから１０．４インチの液晶画面を備える図柄表示装置Ｓが臨むようになっている。これに対し、演出部材１２は、待機姿勢において左右方向に延在する長辺の寸法が約１７５ｍｍで、短辺寸法が約９０ｍｍに設定される。すなわち、演出部材１２の寸法は、該演出部材１２の各辺が対応する方向の開口部７２ａの寸法に対し少なくとも５０％より大きく設定するとよく、実施例の演出部材１２のように、開口部７２ａの左右寸法に対しその長辺寸法を８０％程度に設定すると好適である。
【００１７】
前記演出部材１２には、その内部にＬＥＤ等の発光体１４ａを複数備えたランプ基板(電気部品)１４が収納配置されると共に、遊技者に臨む前面が光の透過を許容する部材で形成され、演出部材１２の演出動作に合わせて、複数の発光体１４ａを発光させて相乗的な演出効果を発現するよう構成される。また、演出部材１２の前面には、例えば銀やアルミニウム等の金属により蒸着めっき加工が施されて、光の一部を透過して、残りを反射するハーフミラー処理がなされている。すなわち、演出部材１２では、発光体１４ａを消灯している状態において、ハーフミラーにより反射される光によって演出効果が得られると共に、内部のランプ基板１４が判別不能となっている。一方、発光体１４ａを発光させると、演出部材１２において、ハーフミラーを介して前側に透過した光による演出が行なわれる。
【００１８】
前記演出部材１２の裏面における左側部(一側部)側に偏倚した部位には、第１リンク機構４０の第１アーム部４５が回動可能に連結される軸受１７が設けられている(図４参照)。この軸受１７は、第１アーム部４５における後述する第１連結節４７の先端に突設した第１軸ピン４７ａの直径と略同一寸法で演出部材１２の裏板に開設された孔部分であって、当該軸受１７に第１軸ピン４７ａを挿通して第１アーム部４５の先端が回動自在に連結される。一方、演出部材１２の裏面には、右側部(他側部)側から左側部(一側部)側に向けて延在し、第２リンク機構５０の第２アーム部５５が連結されるガイド部１８が設けられている(図５参照)。このガイド部１８は、演出部材１２の裏板に開設した長穴部分であって、第２アーム部５５における後述する第２連結節５７の先端に突設した第２軸ピン５７ａが挿通されて、該第２連結節５７の先端が該ガイド部１８に沿って移動可能で、かつ回動可能に連結される(図５参照)。ここで、実施例のガイド部１８は、演出部材１２の裏面において右側部側に偏倚して該演出部材１２の長辺寸法の２／３程度延在するように設定されている(図３参照)。すなわち演出部材１２は、長辺に沿う方向に離間して連結される第１アーム部４５の先端と第２アーム部５５の先端とで支持され、その左側が第１アーム部４５の先端の動作に連動すると共に右側が第２アーム部５５の先端の動作に連動して演出動作を行なうようになっている。
【００１９】
前記各駆動手段２０,３０は、一つのモータ２２,３２と、このモータ２２,３２の回転を適宜調節して対応のリンク機構４０,５０におけるクランク部４２,５２に伝達する変速機構２４,３４とから構成される。２組の動作組Ｋ１,Ｋ２において、両駆動手段２０,３０は、枠状本体７０の上部に左右方向に離間して配置され、各駆動手段２０,３０における構成部材２２,３２,２４,３４の配置関係が左右に線対称となっている(図２参照)。各モータ２２,３２は、枠状本体７０における基部７２の上部において、各側縁に近接する部位に、前方に向けて夫々突出形成した座部７２ｂ,７２ｂにネジ止め固定され、基部７２から前側に所要間隔離間して配置されている。両モータ２２,３２としては、制御手段によるステップ数制御下に正逆回転するステッピングモータが好適に採用され、両モータ２２,３２を同一または異なる回転方向に同期して駆動させたり、異なるタイミングまたは一方を停止したまま他方を駆動する駆動制御が行なわれる。
【００２０】
前記各変速機構２４,３４は、基部７２側に突出したモータ２２,３２の回転軸２２ａ,３２ａに固定したＡ歯車２６,３６と、このＡ歯車２６,３６に連繋するＢ歯車２７,３７と、このＢ歯車２７,３７と同軸的に一体形成され、Ｂ歯車２７,３７より歯数を多く設定したＣ歯車２８,３８とから構成される。これらＡ,ＢおよびＣ歯車２６,３６,２７,３７,２８,３８は、何れも平歯車が採用されている。各Ｂ歯車２７,３７は、対応のモータ２２,３２の内側方に位置して基部７２に回転自在に配設され、対応のモータ２２,３２の回転駆動によるＡ歯車２６,３６の回転に連動してＢ歯車２７,３７およびこのＢ歯車２７,３７と一体のＣ歯車２８,３８が回転し、この過程でモータ２２,３２の回転速度を減速するように設定される。実施例では、両駆動手段２０,３０を構成するモータ２２,３２および変速機構２４,３４は、共通の部品であって、枠状本体７０に形成される座部７２ｂやＢおよびＣ歯車２７,３７,２８,３８を回動可能に保持するための軸受(図示せず)等の形状が同一となっている。なお、枠状本体７０の前側には、各駆動手段２０,３０の前側を覆うように装飾板７８が配設され、遊技者から両駆動手段２０,３０が見えないようになっている(図１参照)。
【００２１】
前記各リンク機構４０,５０は、対応の駆動手段２０,３０に連繋して、駆動手段２０,３０の駆動方向を所定の方向へ変換するクランク部４２,５２と、一端をクランク部４２,５２に対応的に接続すると共に他端を演出部材１２に連結して、該演出部材１２を支持するアーム部４５,５５とから構成される。これら２組のリンク機構４０,５０は、枠状本体７０の上部において左右方向に離間して配置され、各構成部材４２,５２,４５,５５の配置関係が左右に線対称となっている。各クランク部４２,５２は、対応の駆動手段２０,３０におけるＣ歯車２８,３８の内側方に配置したクランク歯車４３,５３と、このクランク歯車４３,５３の回転中心から半径方向外側に偏倚した前面位置に、上端を回転自在に接続したロッド４４,５４から構成される。また、各クランク歯車４３,５３は、対応のＣ歯車２８,３８より歯数が多く設定された平歯車であって、Ｃ歯車２８,３８に連繋した状態で枠状本体７０における基部７２に回転可能に配設される。そして、各クランク部４２,５２では、Ｃ歯車２８,３８により回転するクランク歯車４３,５３の回転運動を、ロッド４４,５４の往復運動に変換するようになっている。
【００２２】
前記各アーム部４５,５５は、対応のクランク部４２,５２におけるロッド４４,５４の下端に回動可能に接続する接続節４６,５６と、演出部材１２の裏面に回動可能に連結する連結節４７,５７とが一体形成されて、接続節４６,５６と連結節４７,５７との接続部分が屈曲形成された略くの字状の棒状部材である。各アーム部４５,５５は、対応の駆動手段２０,３０およびクランク部４２,５２の下方に配置され、その略くの字形状の開放する側を上方に向けた状態で、屈曲部分が基部７２における開口部７２ａ側方に夫々揺動可能に軸支されている。また、各アーム部４５,５５は、外側に接続節４６,５６が延在すると共に、図柄表示装置Ｓ側となる内側に連結節４７,５７が延在した状態で基部７２に配設されている。
【００２３】
図４および図５に示すように、各連結節４７,５７の先端には、前側に突出するボス４７ｂ,５７ｂが夫々形成されて、各ボス４７ｂ,５７ｂの中心に前後方向に亘って開設した通孔４７ｃ,５７ｃに後端を夫々挿通して、その先端を前側に突出した状態で軸ピン４７ａ,５７ａが回動不能に保持されている。第１連結節４７の第１軸ピン４７ａは、演出部材１２の軸受１７に後側から挿通して、該演出部材１２の内部において軸受１７の前側に突出した第１軸ピン４７ａの先端をＥリング等の係止具Ｒで係止している。第１連結節４７は、第１ボス４７ｂの前面が軸受１７の後面に当接して、第１ボス４７ｂと係止具Ｒとで軸受１７を挟持した状態で、演出部材１２に対し回動自在に連結される(図４参照)。一方、第２連結節５７の第２軸ピン５７ａは、演出部材１２のガイド部１８に後側から挿通して、該演出部材１２の内部においてガイド部１８の前側に突出した第２軸ピン５７ａの先端を係止具Ｒで係止している。そして、第２連結節５７は、第２ボス５７ｂの前面がガイド部１８の後面に当接して、第２ボス５７ｂと係止具Ｒとでガイド部１８を挟持した状態で、演出部材１２に対し回動自在、かつガイド部１８に沿って移動自在に連結される(図５参照)。
【００２４】
前記各アーム部４５,５５は、対応の駆動手段２０,３０の回転駆動によるクランク部４２,５２におけるロッド４４,５４の往復運動に夫々連動して接続節４６,５６が屈曲部分を支点として上下方向に揺動するにつれて、対応の連結節４７,５７の先端が円弧状の軌跡で上下方向に変位するようになっている。これにより、第１連結節４７は、その先端に連結した演出部材１２との連結位置を変えることなく保ったまま、演出部材１２を追随させて上下方向に変位させる。一方、第２連結節５７は、その先端に連結した演出部材１２との連結位置をガイド部１８に沿って移動しつつ、演出部材１２を追随させて上下方向に変位させる。
【００２５】
前記各アーム部４５,５５には、屈曲部分および連結節４７,５７の先端に開口すると共に屈曲部分から連結節４７,５７の先端に亘って連通する中空部４５ａ,５５ａが形成されている。そして、第１アーム部４５には、演出部材１２のランプ基板１４と基部７２裏面に設けた図示しない制御基板とを接続する電気配線１６が第１中空部４５ａを挿通して配設されている。また実施例では、第１クランク部４２および第２クランク部５２と、第１アーム部４５および第２アーム部５５とは、互いに共通の部品であって、クランク部４２,５２のクランク歯車４３,５３やアーム部４５,５５を回動可能に保持するために枠状本体７０に形成される軸受(図示せず)等の形状は同一となっている。
【００２６】
前記各リンク機構４０,５０において、クランク部４２,５２、アーム部４５,５５の接続節４６,５６および屈曲部分は装飾板７８に覆われる一方、各連結節４７,５７は装飾部材Ｂの前側に臨むよう構成される。ここで、各アーム部４５,５５としては、連結節４７,５７が上方に凸となった緩やかな円弧状に形成されて演出部材１２の待機姿勢において連結節４７,５７が図柄表示装置Ｓの前面に位置しないように設定される。
【００２７】
前記可動式演出装置１０は、演出部材１２の位置を検出する位置検出手段６０,６０を備え、この位置検出手段６０,６０の検出結果に応じて制御手段により両モータ２２,３２を適宜駆動または停止するよう構成される。具体的には、位置検出手段として、発光部と受光部とを備えるフォトセンサ６０が用いられ、各フォトセンサ６０は、枠状本体７０の基部７２における各クランク歯車４３,５３の後面に夫々相対する位置に、発光部と受光部とが離間した状態で配設されている(図６および図７参照)。また、各クランク歯車４３,５３の後面には、円形に延在する被検出板４３ａ,４３ａが突設され、この被検出板４３ａ,５３ａが発光部と受光部との間の隙間に臨んでいる。そして、各被検出板４３ａ,５３ａの適宜位置には、スリット４３ｂ,５３ｂが夫々設けられ、このスリット４３ｂ,５３ｂがフォトセンサ６０に臨むときが演出部材１２の原点位置である待機姿勢となるように設定されている(図３参照)。
【００２８】
〔実施例の作用〕
次に、実施例に係るパチンコ機用の可動式演出装置の作用について説明する。この可動式演出装置１０は、演出部材１２が演出動作を行なっていない待機姿勢では、両リンク機構４０,５０の連結節４７,５７の先端が最上方位置で待機している(図２参照)。遊技者の遊技操作に応じて遊技盤Ａの遊技領域に打出された遊技球が、始動入賞具Ｃに入賞することにより、図柄表示装置Ｓでの図柄変動ゲームが行なわれ、これに合わせて可動式演出装置１０も制御手段の制御下に両モータ２２,３２が駆動されて、演出部材１２が待機姿勢から下方に変位して、図柄表示装置Ｓの前面で所定の演出動作が開始される(図８参照)。
【００２９】
具体的には、第１モータ２２が例えば時計廻りに回転駆動されることで、第１変速機構２４を介して伝達される回転運動が第１クランク部４２により第１アーム部４５の揺動運動に変換されて、第１アーム部４５の第１連結節４７の先端が下方に変位するにつれて、演出部材１２の左側が下方に向けて変位される。また、第２モータ３２が反時計廻りに正回転駆動されることで、第２変速機構３４を介して伝達される回転運動が第２クランク部５２により第２アーム部５５の揺動運動に変換されて、第２アーム部５５の第２連結節５７の先端が下方に変位するにつれて、演出部材１２の右側が下方に向けて変位され、演出部材１２全体として下方に変位して、図柄表示装置Ｓの前側に臨む。このとき、各フォトセンサ６０は、被検出板４３ａ,５３ａにより遮られることで、演出部材１２(クランク歯車４３,５３)が夫々適切に動作していることを検出する。
【００３０】
実施例の可動式演出装置１０において、演出部材１２における演出動作の態様としては、以下のパターンがある。
(１)両モータ２２,３２を同期させて異なる方向へ回転駆動することで、両連結節４７,５７を同期させて下方または上方に変位させて、演出部材１２全体がその長辺を左右方向に延在させた水平な姿勢または傾動姿勢のまま上下方向に移動する。
(２)第１モータ２２を回転駆動する一方、第２モータ３２を停止することで、第２連結節５７を停止したまま第１連結節４７のみが上下方向に変位されるから、演出部材１２は第２連結節５７の先端を支点として、第１連結節４７の変位に伴って左側だけが上下方向に傾動する。ここで、第１連結節４７の先端と演出部材１２との連結位置は変化することはない一方、第２連結節５７の先端は、演出部材１２のガイド部１８にスライド自在に連結されているから、演出部材１２は左側が第１連結節４７の変位につれてある程度傾動すると、更なる第１連結節４７の変位により第２連結節５７との連結位置がガイド部１８に沿ってスライド移動する。すなわち、演出部材１２は、右側部を支点として左側部が傾動する変位を主する動作と、右側部を支点として左側部を傾動しつつ、第２連結節５７の先端を動かすことなく全体として上下方向に斜めに変位する複合的な動作とが、第１連結節４７の先端と第２連結節５７の先端との位置関係に応じて行なわれる。
【００３１】
(３)第２モータ３２を回転駆動する一方、第１モータ２２を停止することで、第１連結節４７を停止したまま第２連結節５７のみが上下方向に変位されるから、演出部材１２は第１連結節４７の先端を支点として、第２連結節５７の変位に伴って右側だけが上下方向に傾動する。ここで、支点となる第１連結節４７の先端と演出部材１２との連結位置は変化することはない一方、第２連結節５７の先端は、演出部材１２のガイド部１８にスライド自在に連結されているから、第２連結節５７の変位につれて演出部材１２との連結位置がガイド部１８に沿ってスライド移動するので、前述した(２)の動作態様の如く傾動しつつ全体として上下方向に変位することはなく第２連結節５７の変位によって演出部材１２の右側は傾動変位する動作を行なう。この場合、演出部材１２の傾動変位量は、一定ではなく第１連結節４７の先端と第２連結節５７の先端との位置関係に応じて変化する。
(４)第１モータ２２を一方向へ回転駆動する一方、第２モータ３２を同じ一方向へ回転駆動することで、第１連結節４７と第２連結節５７とが逆の方向へ変位されるから、演出部材１２は左側と右側とが別々の方向へ傾動変位する動作を行なうと共に、第１連結節４７と第２連結節５７との変位関係によっては、併せて(２)で説明した複合的な動作も行なう。また、第１モータ２２および第２モータ３２の回転方向を適宜切換えることで、演出部材１２を揺動するように動作させることができる。
(５)両モータ２２,３２を同一または異なる回転方向に同期して駆動させたり、異なるタイミングまたは一方を停止したまま他方を駆動する等の制御をすることで、(１)から(４)の動作を複合的に行なわせることもできる。すなわち、演出部材１２が全体として上下方向に変位しつつ、傾動または揺動すると共に、一側部を傾動しつつ他側部を変位させることなく全体として斜めに上下変位させる複合的な動作等の複雑な演出動作を行なわせることができる。
【００３２】
前記可動式演出装置１０では、原点位置を基準として制御手段に設定した規定ステップ数だけ各モータ２２,３２を回転駆動して演出部材１２を演出動作させた後、各モータ２２,３２を規定ステップ数だけ逆方向に回転駆動することで、各連結節４７,５７の先端を上方または下方に変位して、演出部材１２を待機姿勢に向けて揺動する。そして、各モータ２２,３２を規定ステップ数だけ逆方向に回転駆動した際に、各被検出板４３ａ,５３ａのスリット４３ｂ,５３ｂが対応のフォトセンサ６０に夫々臨み、被検出板４３ａ,５３ａの非検知状態に移行すると、原点位置に到来したことを検出してモータ２２,３２が夫々停止制御されて、演出部材１２の演出動作が終了される。ここで、各モータ２２,３２を規定ステップ数だけ逆方向に回転駆動しても、被検出板４３ａ,５３ａの非検知状態に移行しない場合は、対応のモータ２２,３２の回転駆動を継続し、各スリット４３ｂ,５３ｂが対応のフォトセンサ６０に夫々臨み、被検出板４３ａ,５３ａの非検知状態に移行することで停止制御される。一方、各モータ２２,３２が規定ステップ数だけ逆方向に回転駆動される前に、各スリット４３ｂ,５３ｂが対応のフォトセンサ６０に夫々臨み、被検出板４３ａ,５３ａの非検知状態に移行した場合は、対応のモータ２２,３２が直ちに停止制御される。このように、制御手段による各モータ２２,３２の回転制御だけでなく、演出動作の終了を各フォトセンサ６０による位置検出に基づいて補助的に制御することで、演出部材１２が原点位置である待機姿勢で確実に演出動作を終了するように補正することができる。すなわち、各モータ２２,３２の回転制御を容易化することができ、次回の演出動作も円滑に行なうことができる。
【００３３】
このように、一つの演出部材１２を、独立して動作する一対の動作組Ｋ１,Ｋ２で動作させるよう構成したから、演出部材１２全体としての上下変位だけでなく、各動作組Ｋ１,Ｋ２の独立動作に伴って演出部材１２の左右の一側部を、左右の他側部と異なる動作を行なわせることができる。すなわち、演出部材１２に、複雑な演出動作を与えることができる。また、演出部材１２に異なる動作を与える機構としては、駆動手段２０,３０とリンク機構４０,５０からなる動作組Ｋ１.Ｋ２を２組設けるだけの最小限の部品で達成することができる。更に、２組のリンク機構４０,５０のアーム部４５,５５で演出部材１２を支持する構成であるから、大型の演出部材１２を安定して保持し得ると共に、この演出部材１２の演出動作に際しても演出部材１２についての演出と関係のないがたつきを防止して、好適な演出効果を付与することができる。
【００３４】
前記第２リンク機構５０における第２アーム部５５の先端を演出部材１２のガイド部１８にスライド自在に連結することで、各リンク機構４０,５０のアーム部４５,５５の揺動による動作だけでなく、当該リンク機構４０,５０におけるアーム部４５,５５の揺動に伴って第２アーム部５５の先端と演出部材１２との連結位置がスライド移動する。すなわち、演出部材１２が各リンク機構４０,５０におけるアーム部４５,５５の揺動方向と連結位置の移動方向との複合的な方向に移動するから、演出部材１２に更に複雑な演出動作を行なわせることができる。また、縦横の長さが異なる演出部材１２において、その長辺に沿って延在するようにガイド部１８を設けることで、ガイド部１８の延在寸法を長く設定することができるので、演出部材１２をより大きく演出動作させることが可能となる。このように、一つの演出部材１２に複雑な動作を付与し得るので、演出部材１２を複数設けることなく所望の演出効果が得られるので、最小限の部品点数で視覚的な演出効果を向上させて遊技の興趣を一層増大することができる。
【００３５】
左右に離間して配置される一対の動作組Ｋ１,Ｋ２は、第１駆動手段２０および第１リンク機構４０と、第２駆動手段３０および第２リンク機構５０とが、左右に線対称の関係となっているから、これらの部材の組付け作業性を向上し得ると共に、装飾部材Ｂの左右の重量バランスを取ることができる。また、各動作組Ｋ１,Ｋ２と演出部材１２との位置関係が左右の動作組Ｋ１,Ｋ２で同一となるから、リンク機構４０,５０等の寸法を左右で同一にすることができ、左右の動作組Ｋ１,Ｋ２で部品を共通化することが可能となる。しかも、一つの演出部材１２に連結する２組のリンク機構４０,５０の何れか一方に大きな負荷がかかることを回避し得るので、演出部材１２を円滑に演出動作させることができると共に、モータ２２,３２へ過剰な負荷をかけることはない。また、第１駆動手段２０および第２駆動手段３０と、第１クランク部４２および第２クランク部５２と、第１アーム部４５および第２アーム部５５とを共通化することで、更なる組立作業性を向上し得ると共に、部品点数の減少によるコスト削減を図り得る。更に、駆動手段２０,３０およびリンク機構４０,５０の設置基体となる枠状本体７０の構成も簡略化することができる。
【００３６】
前記演出部材１２との連結位置が変化しない第１アーム部４５の中空部４５ａに、演出部材１２に配設したランプ基板１４等の電気部品に接続する電気配線１６を配設することで、演出部材１２が動作した際に、電気配線１６がリンク機構４０,５０や演出部材１２に噛み込む等の不具合を起こすことはなく、演出部材１２による演出動作を円滑に行なうことができる。
【００３７】
(変更例)
(１)実施例では、２組の動作組で演出部材を演出動作させる構成であるが、３つ以上の動作組で演出部材を演出動作させる構成も採用し得る。例えば、実施例と同様に第１および第２動作組で演出部材を上下動および揺動させると共に、第３の動作組で演出部材を回転させる構成等であってもよい。この場合、一対の動作組におけるアーム部の先端を、演出部材の回転方向に沿って設けたガイド部に回動可能で、かつ移動可能に連結するとよい。第３の動作組において、装飾部材に動作可能に配設されて、一端部が第３の駆動手段に連繋すると共に、他端部が演出部材に連繋する第３のリンク機構が、対応の駆動手段に連動して所定の動作を行なうことで、他端部に連結した演出部材が第１および第２リンク機構におけるアーム部の先端に支持された状態で回転する。
(２)実施例の可動式演出装置は、演出部材を一つだけ備える構成であるが、複数の演出部材を設け、これら複数の演出部材の夫々を複数の動作組で動作させる構成であってもよい。
(３)実施例のガイド部は、演出部材の長辺に沿って延在する構成であるが、これに限定されず、短辺に沿ってまたは斜め方向に延在しても、湾曲して延在する構成であってもよい。
(４)実施例では、駆動手段およびリンク機構の各構成部材を共通化したが、これに限られない。例えば、アーム部の長さを左右のリンク機構で違えることで、演出部材の演出動作を変更することができる。
(５)図柄表示装置の前面に臨むアーム部を、演出用の部材として機能させてもよい。
(６)装飾部材において上下方向に延在する演出部材を、その上下に離間配置した動作組により動作させる構成も採用し得る。
【００３８】
(付記１)
前記第１リンク機構(40)の他端部(45)を、前記演出部材(12)における一側部側の裏面に連結し、前記第２リンク機構(50)の他端部(55)を、前記演出部材(12)の裏面において他側部側から前記一側部側に向けて延在する前記ガイド部(18)にスライド自在に連結し、
前記第１リンク機構(40)の他端部(45)は、前記演出部材(12)との連結位置を保ったまま該演出部材(12)の一側部側を動作させると共に、前記第２リンク機構(50)の他端部(55)は、演出部材(12)との連結位置をガイド部(18)に沿って移動しつつ該演出部材(12)の他側部側を動作させるよう構成した請求項４または５記載の遊技機用の可動式演出装置。  
付記１に係る発明によれば、演出部材について、第１リンク機構における他端部の所定動作による動作だけでなく、当該第１リンク機構における他端部の動作に伴って第２リンク機構の他端部と演出部材との連結位置がガイド部に沿ってスライド移動して、第２リンク機構における他端部の動作方向と連結位置の移動方向との複合的な方向に動くから、演出部材に更に複雑な動作を行なわせることができる。
【００３９】
(付記２)
前記各リンク機構(40,50)は、対応の駆動手段(20,30)に連繋する一端部をなし、該駆動手段(20,30)の回転運動を揺動運動に変換するクランク部(42,52)と、前記演出部材(12)に連繋する他端部をなし、該クランク部(42,52)の揺動運動に連動して上下方向に揺動して該演出部材(12)の対応の側部を揺動させるアーム部(45,55)とからなり、
前記両リンク機構(40,50)のアーム部(45,55)で支持して前記装飾部材(B)の前側に配置した前記演出部材(12)が、前記両駆動手段(20,30)の駆動制御により前記図柄表示装置(S)の前側に臨んで所定の演出動作を行なうと共に、該図柄表示装置(S)の前側から退避して待機するよう構成した請求項２〜５,付記１の何れかに記載の遊技機用の可動式演出装置。
付記２に係る発明によれば、第１リンク機構の動作により、演出部材の一側部側を上下方向に揺動すると共に、第２リンク機構の動作により、演出部材の他側部側を、一側部側と独立して上下方向に揺動することができる。
【図面の簡単な説明】
【００４０】
【図１】本発明の好適な実施例に係る可動式演出装置を備えた遊技盤を示す正面図である。
【図２】実施例の可動式演出装置を配設した枠状本体を示す正面図である。
【図３】実施例の可動式演出装置を示す裏面図である。
【図４】実施例の可動式演出装置において、第１動作組を示す概略斜視図である。
【図５】実施例の可動式演出装置において、第２動作組を示す概略斜視図である。
【図６】実施例の可動式演出装置において、第１動作組を図４とは別の角度で示す概略斜視図である。
【図７】実施例の可動式演出装置において、第２動作組を図５とは別の角度で示す概略斜視図である。
【図８】実施例の可動式演出装置において、演出部材が演出動作を行なっている状態を示す正面図である。
【符号の説明】
【００４１】
１２ 演出部材
１４ ランプ基板(電気部品)
１６ 電気配線
１８ ガイド部
２０ 第１駆動手段(駆動手段)
３０ 第２駆動手段(駆動手段)
４０ 第１リンク機構(リンク機構)
４２ 第１クランク部(一端部)
４３,５３ クランク歯車
４４,５４ ロッド
４５ 第１アーム部(他端部)
４５ａ 第１中空部(中空部)
４６,５６ 接続節
４７,５７ 連結節
５０ 第２リンク機構(リンク機構)
５２ 第２クランク部(一端部)
５５ 第２アーム部(他端部)
７２ａ 開口部
Ｂ 装飾部材
Ｓ 図柄表示装置
【図１】
0004754389.tif 000002
【図２】
0004754389.tif 000003
【図３】
0004754389.tif 000004
【図４】
0004754389.tif 000005
【図５】
0004754389.tif 000006
【図６】
0004754389.tif 000007
【図７】
0004754389.tif 000008
【図８】
0004754389.tif 000009